(57)【要約】      （修正有）【課題】少なくとも１種のオイゲノール含有臭気中和剤と、悪臭を処理、低減または中和するための少なくとも１種の膜形成剤とを含む水相中の臭気を中和する装置を提供する。【解決手段】水相中の臭気を中和する装置において、内部空間を規定するハウジングであって、少なくとも１つの穿孔を有するハウジングと、水相の適用可能な表面に取り付けるための手段とを備え、ハウジングが内部空間を規定し、内部空間が臭気中和組成物を含み、臭気中和組成物が、少なくとも１種のオイゲノール含有臭気中和剤と、少なくとも１種の膜形成剤とを含む。【選択図】図４
0003214778.tif 000002
【実用新案登録請求の範囲】
【請求項１】
少なくとも１種のオイゲノール含有臭気中和剤と、少なくとも１種の膜形成剤とを含むことを特徴とする臭気中和組成物。
【請求項２】
請求項１に記載の組成物において、前記少なくとも１種のオイゲノール含有臭気中和剤が、オイゲノール、少なくとも１種のオイゲノール含有エッセンシャルオイルおよびその組合せのなかから選択されることを特徴とする組成物。
【請求項３】
請求項２に記載の組成物において、前記少なくとも１種のオイゲノール含有エッセンシャルオイルが、ミルタシア油、アルテミシア油、シナモン油、ミリスチカ油、オチマム油、イリチア油、メリッサ油、ピメンタ油、アピウム油およびバニラ油から選択されることを特徴とする組成物。
【請求項４】
請求項３に記載の組成物において、前記少なくとも１種のオイゲノール含有エッセンシャルオイルが、チョウジ油（クローブ油）、ニガヨモギ油（ヨモギ油）、シナモンカシア油（Ｃ．アロマティカム油）、シナモンベルム油（真のシナモン油）、シナモンタマラ油（インディアンベイリーフ油）、ラウロスノビリス油（ベイローレル油）、ミリスチカフラナンス油（ナツメグ油）、オチマムバジル油（スイートバジル油）、メボウキ油（アフリカバジル油）、カミメボウキ油（トゥルシー油）、薫草油（ホーリーバジル油）、莽草油（シキミ油）、メリッサオフィシナリス油（レモンバーム油）、イノンド油（ディル油）、ピメンタラセモサ油、バニラ油およびセロリアック油（セロリ油）から選択されることを特徴とする組成物。
【請求項５】
請求項１乃至４の何れか一項に記載の組成物において、前記少なくとも１種の臭気中和剤の含有量が、当該組成物の約１〜２０重量％であることを特徴とする組成物。
【請求項６】
請求項１乃至５の何れか一項に記載の組成物において、前記膜形成剤がＭＬＯであることを特徴とする組成物。
【請求項７】
請求項１乃至６の何れか一項に記載の組成物において、前記膜形成剤の含有量が、当該組成物の少なくとも１重量％であることを特徴とする組成物。
【請求項８】
請求項７に記載の組成物において、前記膜形成剤の含有量が、当該組成物の約１〜３０重量％であることを特徴とする組成物。
【請求項９】
請求項１乃至８の何れか一項に記載の組成物において、少なくとも１種の粘度調整剤を備えることを特徴とする組成物。
【請求項１０】
請求項９に記載の組成物において、前記少なくとも１種の粘度調整剤が、アクリレート／アクリロメチルタウレート共重合体、ヒドロキシル化アクリレート／アクリロメチルタウレート共重合体、ポリアクリレート、ポリイソブテンおよびポリソルベートから選択されることを特徴とする組成物。
【請求項１１】
請求項１０に記載の組成物において、前記少なくとも１種の粘度調整剤が、ヒドロキシルエチル−アクリレート／ナトリウム−アクリロイルジメチルタウレート共重合体（Ｓｅｐｉｎｏｖ−ＥＭＴ）であることを特徴とする組成物。
【請求項１２】
請求項９乃至１１の何れか一項に記載の組成物において、前記少なくとも１種の粘度調整剤の含有量が、当該組成物の約０．５〜１．５重量％であることを特徴とする組成物。
【請求項１３】
請求項１乃至１２の何れか一項に記載の組成物において、少なくとも１種の添加剤をさらに含むことを特徴とする組成物。
【請求項１４】
請求項１２または１３に記載の組成物において、前記少なくとも１種の添加剤が、アルキルフェノールエトキシレート、脂肪アルコール、アルコールエトキシレート、アルコールエトキシサルフェート、ポリオキシエチレングリコールアルキルエーテル、ポリオキシプロピレングリコールアルキルエーテル、グルコシドアルキルエーテル、グリセロールアルキルエステルポリオキシエチレングリコールオクチルフェノールエーテル（Ｔｒｉｔｏｎ  Ｘ−１００）、ポリオキシエチレングリコールソルビタンアルキルエステル（ポリソルベート）、ソルビタンアルキルエステル、コカミドＭＥＡ／ＤＥＡ、ポリエチレングリコールとポリプロピレングリコールのブロック共重合体（ポロキサマー）から選択されることを特徴とする組成物。
【請求項１５】
請求項１４に記載の組成物において、前記少なくとも１種の添加剤が、ノニルフェノールエトキシレート（ＮＰ１０）またはＣ１４−Ｃ１８アルコールエトキシレートであることを特徴とする組成物。
【請求項１６】
請求項１乃至１５の何れか一項に記載の組成物において、液体形態にあることを特徴とする組成物。
【請求項１７】
請求項１６に記載の組成物において、前記少なくとも１種の添加剤が乳化剤であり、当該組成物の約３〜３５重量％の含有量で存在することを特徴とする組成物。
【請求項１８】
請求項１７に記載の組成物において、前記乳化剤がノニルフェノールエトキシレート（ＮＰ１０）であり、前記少なくとも１種のオイゲノール含有臭気中和剤がオイゲノールであることを特徴とする組成物。
【請求項１９】
請求項１６乃至１８の何れか一項に記載の組成物において、当該組成物の約５０〜９０重量％の水をさらに含むことを特徴とする組成物。
【請求項２０】
請求項１６乃至１９の何れか一項に記載の組成物において、エマルション、ゲルおよびペーストから選択される形態であることを特徴とする組成物。
【請求項２１】
請求項１６乃至２０の何れか一項に記載の組成物において、当該組成物が、約２００〜６５００ｃｐｓの粘度を有することを特徴とする組成物。
【請求項２２】
請求項１乃至１５の何れか一項に記載の組成物において、前記添加剤が増粘剤であることを特徴とする組成物。
【請求項２３】
請求項２２に記載の組成物において、前記増粘剤が、カプリル酸グリセリル、カプリン酸グリセリルおよびこれらの組み合わせを含むことを特徴とする組成物。
【請求項２４】
請求項２２または２３に記載の組成物において、噴霧またはエアロゾル化による適用のために調合されることを特徴とする組成物。
【請求項２５】
請求項１乃至１５の何れか一項に記載の組成物において、実質的に固体形態にあることを特徴とする組成物。
【請求項２６】
請求項２５に記載の組成物において、前記少なくとも１種の添加剤が、当該組成物の約４０〜９０重量％の含有量で存在することを特徴とする組成物。
【請求項２７】
請求項２６に記載の組成物において、前記少なくとも１種の添加剤がＣ１４−Ｃ１８アルコールエトキシレートであり、前記少なくとも１種のオイゲノール含有臭気中和剤がオイゲノールであることを特徴とする組成物。
【請求項２８】
請求項２５乃至２７の何れか一項に記載の組成物において、少なくとも１種のポリリン酸塩化合物をさらに含むことを特徴とする組成物。
【請求項２９】
請求項２８に記載の組成物において、前記少なくとも１種のポリリン酸塩化合物の含有量が、当該組成物の１〜２５％であることを特徴とする組成物。
【請求項３０】
請求項２８または２９に記載の組成物において、前記ポリリン酸塩化合物が三リン酸ナトリウムであることを特徴とする組成物。
【請求項３１】
請求項２５乃至３０の何れか一項に記載の組成物において、当該組成物が、固体ブロック、固体微粒子、フレークおよびビーズから選択される形態であることを特徴とする組成物。
【請求項３２】
請求項２５乃至３１の何れか一項に記載の組成物において、処理されるべき水相１０リットル当たり組成物の約０．０１〜１グラムの範囲で、処理されるべき水相中の動的溶解度が制御されていることを特徴とする組成物。
【請求項３３】
請求項１乃至３２の何れか一項に記載の組成物において、香料、着色剤、防腐剤、担体油、水溶性消毒剤およびそれらの組み合わせから選択される少なくとも１つの他の添加剤をさらに含むことを特徴とする組成物。
【請求項３４】
水と、少なくとも１種のオイゲノール含有臭気中和剤と、少なくとも１種の膜形成剤と、任意の少なくとも１種の溶剤とを含むことを特徴とする臭気中和液体組成物。
【請求項３５】
請求項３４に記載の臭気中和液体組成物において、前記少なくとも１種のオイゲノール含有臭気中和剤が、オイゲノール、少なくとも１種のエッセンシャルオイルおよびそれらの組み合わせから選択されることを特徴とする臭気中和液体組成物。
【請求項３６】
請求項３４または３５に記載の臭気中和液体組成物において、前記少なくとも１種の溶剤がＣ３−８アルコールから選択されることを特徴とする臭気中和液体組成物。
【請求項３７】
請求項３４乃至３６の何れか一項に記載の臭気中和液体組成物において、当該組成物の約５０〜９０重量％の水を含むことを特徴とする臭気中和液体組成物。
【請求項３８】
請求項３４乃至３７の何れか一項に記載の臭気中和液体組成物において、当該組成物の約１〜２０重量％の少なくとも１種の臭気中和剤を含むことを特徴とする臭気中和液体組成物。
【請求項３９】
請求項３４乃至３８の何れか一項に記載の臭気中和液体組成物において、当該組成物の約１〜２５重量％の少なくとも１種の溶剤を含むことを特徴とする臭気中和液体組成物。
【請求項４０】
請求項３４乃至３９の何れか一項に記載の臭気中和液体組成物において、約１〜３０重量％の少なくとも１種の膜形成剤を含むことを特徴とする臭気中和液体組成物。
【請求項４１】
請求項３４乃至４０の何れか一項に記載の臭気中和液体組成物において、前記膜形成剤がＭＬＯであることを特徴とする臭気中和液体組成物。
【請求項４２】
請求項３４乃至４１の何れか一項に記載の臭気中和液体組成物において、乳化剤、増粘剤、香料、着色剤、防腐剤、担体油、水溶性消毒剤およびそれらの組み合わせから選択される少なくとも１つの添加剤をさらに含むことを特徴とする臭気中和液体組成物。
【請求項４３】
少なくとも１種のオイゲノール含有臭気中和剤と、少なくとも１種の膜形成剤と、少なくとも１種の添加剤とを含む実質的に固体の臭気中和組成物。
【請求項４４】
請求項４３に記載の臭気中和固体組成物において、前記少なくとも１種のオイゲノール含有臭気中和剤が、オイゲノール、少なくとも１種のエッセンシャルオイルおよびそれらの組み合わせから選択されることを特徴とする臭気中和固体組成物。
【請求項４５】
請求項４３または４４に記載の臭気中和固体組成物において、前記少なくとも１種の添加剤が、アルキルフェノールエトキシレート、脂肪アルコール、アルコールエトキシレート、アルコールエトキシサルフェート、ポリオキシエチレングリコールアルキルエーテル、ポリオキシプロピレングリコールアルキルエーテル、グルコシドアルキルエーテル、グリセロールアルキルエステルポリオキシエチレングリコールオクチルフェノールエーテル（Ｔｒｉｔｏｎ  Ｘ−１００）、ポリオキシエチレングリコールソルビタンアルキルエステル（ポリソルベート）、ソルビタンアルキルエステル、コカミドＭＥＡ／ＤＥＡ、ポリエチレングリコールとポリプロピレングリコールのブロック共重合体（ポロキサマー）から選択されることを特徴とする臭気中和固体組成物。
【請求項４６】
請求項４５に記載の臭気中和固体組成物において、前記少なくとも１種の添加剤が、Ｃ１４−Ｃ１８アルコールエトキシレートであることを特徴とする臭気中和固体組成物。
【請求項４７】
請求項４３乃至４６の何れか一項に記載の臭気中和固体組成物において、当該組成物の約４０〜９０重量％の添加剤を含むことを特徴とする臭気中和固体組成物。
【請求項４８】
請求項４３乃至４７の何れか一項に記載の臭気中和固体組成物において、当該組成物の約１〜２０重量％の少なくとも１種の臭気中和剤を含むことを特徴とする臭気中和固体組成物。
【請求項４９】
請求項４３乃至４８の何れか一項に記載の臭気中和固体組成物において、少なくとも１種のポリリン酸塩化合物をさらに含むことを特徴とする臭気中和固体組成物。
【請求項５０】
請求項４９に記載の臭気中和固体組成物において、前記ポリリン酸塩化合物が三リン酸ナトリウムであり、当該組成物の１〜２５％の含有量で存在することを特徴とする臭気中和固体組成物。
【請求項５１】
請求項４３乃至５０の何れか一項に記載の臭気中和固体組成物において、約１〜３０重量％の少なくとも１種の膜形成剤を含むことを特徴とする臭気中和固体組成物。
【請求項５２】
請求項４３乃至５１の何れか一項に記載の臭気中和固体組成物において、前記膜形成剤がＭＬＯであることを特徴とする臭気中和固体組成物。
【請求項５３】
請求項４３乃至５２の何れか一項に記載の臭気中和固体組成物において、処理されるべき水相１０リットル当たり組成物の約０．０１〜１グラムの範囲で、処理されるべき水相中の動的溶解度が制御されていることを特徴とする臭気中和固体組成物。
【請求項５４】
請求項４３乃至５３の何れか一項に記載の臭気中和固体組成物において、増粘剤、香料、着色剤、防腐剤、担体油、水溶性消毒剤およびそれらの組み合わせから選択される少なくとも１つの他の添加剤をさらに含むことを特徴とする臭気中和固体組成物。
【請求項５５】
請求項１乃至５４の何れか一項に記載の組成物をカプセル化する水溶解性シェルを含むことを特徴とするカプセル。
【請求項５６】
請求項１乃至５４の何れか一項に記載の組成物であって、水相より上の気相中の揮発性化合物の濃度を低下させるために使用することを特徴とする組成物。
【請求項５７】
請求項３４乃至４２の何れか一項に記載の臭気中和液体組成物であって、気相中の揮発性化合物の濃度を低下させるために使用することを特徴とする臭気中和液体組成物。
【請求項５８】
請求項５６または５７に記載の組成物において、前記揮発性化合物が、硫黄系揮発性化合物、窒素系揮発性化合物およびそれらの混合物であることを特徴とする組成物。
【請求項５９】
請求項５８に記載の組成物において、前記揮発性化合物が、チオール、メルカプタン、Ｈ２Ｓ、インドール（２，３−ベンゾピロール）、スカトール（４−メチル−２，３−ベンゾピロール）およびアンモニアから選択されることを特徴とする組成物。
【請求項６０】
水相中の臭気を中和する装置において、
内部空間を規定するハウジングであって、少なくとも１つの穿孔を有するハウジングと、
適用可能な表面に取り付けるための手段とを備え、
前記ハウジングが内部空間を規定し、前記内部空間が、請求項１乃至５４の何れか一項に記載の組成物を含むことを特徴とする装置。
【請求項６１】
水、少なくとも１種のオイゲノール含有臭気中和剤、少なくとも１種の乳化剤、少なくとも１種の膜形成剤および少なくとも１種の粘度調整剤を含む組成物の製造方法であって、
（ａ）少なくとも１種の臭気中和剤、少なくとも１種の膜形成剤および少なくとも１種の粘度調整剤を第１の混合速度で混合して、混合物を得るステップと、
（ｂ）少なくとも１種の乳化剤および水を第２の速度で混合して溶液を得るステップと、
（ｃ）均質化を可能にする混合条件下で、前記溶液を前記混合物に添加して前記組成物を得るステップとを備えることを特徴とする方法。
【請求項６２】
請求項６１に記載の方法において、前記混合条件が、約１，０００〜５，０００ｒｐｍの混合速度であることを特徴とする方法。
【請求項６３】
請求項６１または６２に記載の方法において、前記第１の混合速度が、約５，０００〜１５，０００ｒｐｍであることを特徴とする方法。
【請求項６４】
請求項６１乃至６３の何れか一項に記載の方法において、前記第２の混合速度が、約５〜２５ｒｐｍであることを特徴とする方法。
【請求項６５】
水相より上の気相中の硫黄系揮発性化合物の濃度を低下させる方法であって、
請求項１乃至５４の何れか一項に記載の組成物を提供するステップと、
前記組成物を処理すべき水相と接触させるステップとを備えることを特徴とする方法。
【請求項６６】
水相より上の気相中の硫黄系揮発性化合物の濃度を低下させる方法であって、
請求項３４乃至４２の何れか一項に記載の組成物を、処理すべき水相の上に、または処理すべき環境中に噴霧することを特徴とする方法。
【考案の詳細な説明】
【技術分野】
【０００１】
本考案は、臭気の中和のための組成物および方法に関する。
【背景技術】
【０００２】
家庭および産業分野における悪臭の処理は、ここ数十年注目を集めている。今日市場で利用できる殆どの解決策は、人工源または自然源の芳香剤（特許文献１）または中和化学薬品（特許文献２）を含むエアロゾルまたはスプレーを気相中に適用することにより、気相中の悪臭をマスキングまたは除去する問題に取り組んでいる。そのような解決策は、廃水内から生じる揮発性化合物に関連する悪臭を除去するための液相の廃水の処理の問題に対処していない。
【０００３】
家庭での使用のためには、一定量の消毒剤と界面活性化合物の放出を可能にする標準容器が一般的に使用されている（特許文献３）。これらの製品は、消毒効果を提供し、芳香成分を含むことが多い。これらの製品は、悪臭を引き起こす揮発性化合物を処理することはないが、揮発性化合物が水から気相に放出されたときに悪臭をマスキングするために使用される。
【０００４】
したがって、水相中の上記揮発性化合物ならびに水上の気相に存在する揮発性化合物の処理により、貯水部上の悪臭揮発性化合物の含量を減少させる臭気中和組成物が必要とされている。好ましくは、このような組成物は環境にやさしく低コストであることも要求される。
【０００５】
本明細書に開示の主題に対する背景として関連すると考えられる参考文献を以下に列挙する。
【先行技術文献】
【特許文献】
【０００６】
【特許文献１】特開平０７−０３１６６９号公報
【特許文献２】国際公開第２００５／０６３９４５号
【特許文献２】米国特許第３，８２４，６３３号明細書
【０００７】
上記文献の確認は、それらが、本明細書に開示される主題の登録要件にいかなる意味でも関係することを意味するものとして推論されるものではない。
【考案の概要】
【０００８】
本考案者等は、特定のエッセンシャルオイルを含む組成物が、環境に優しくない物質を使用する必要なく、十分な臭気の中和を提供することを見出した。臭気中和効果は、処理すべき液相の上にスプレーとして（例えば噴霧によって）適用される場合、または液相中に直接適用される場合のいずれかにおいて、比較的少量の中和組成物を使用することによって得ることができる。
【０００９】
本考案は、その態様の１つにおいて、少なくとも１種のオイゲノール含有臭気中和剤と、少なくとも１種の膜形成剤（film forming agent）とを含む臭気中和組成物を提供する。
【００１０】
用語「臭気中和」またはその任意の言語変形は、気相からの悪臭を低減、最小化または除去することを意味し、いくつかの実施形態では、例えば悪臭の発生源（必ずしも溶解状態にあるとは限らない）が存在する若しくは含まれる液相の上で引き起こされることもある。そのような悪臭は、しばしば、揮発性の硫黄系化合物または窒素含有化合物の水相から気相への放出によって引き起こされる。理論に束縛されるものではないが、本考案の組成物の活性成分、すなわち臭気中和剤は、水相中の揮発性化合物と物理的に結び付き（典型的にはミセルを形成し）、その揮散を低減する。さらに、中和剤は、揮発性化合物と化学的に反応して、気相への揮散を防止することができる。したがって、中和とは、気相におけるこれらの揮発性化合物の濃度を、ヒトの鼻の香り検出限界（閾値）未満のレベルまで低下させることもいう。
【００１１】
本考案の組成物に使用されるオイゲノール含有中和剤は、オイゲノールを含む任意の種類の天然または合成組成物とすることができる。いくつかの実施形態では、中和剤は純粋な（ニート）形態のオイゲノール（４−アリル−２−メトキシフェノール）である。
【００１２】
他の実施形態では、少なくとも１種の臭気中和剤は、少なくとも１種のオイゲノール含有“エッセンシャルオイル”、すなわち通常植物源から得られる揮発性の芳香化合物を含有する疎水性液体である。このようなエッセンシャルオイルは、蒸留、溶媒抽出、圧搾などの当技術分野で公知の任意の方法によって得ることができる。理論に束縛されるものではないが、処理すべき水相中において、エッセンシャルオイルがミセル構造を形成すると、揮発性化合物をカプセル化して、その揮発性を大幅に減少させる。
【００１３】
いくつかの実施形態では、前記少なくとも１種のオイゲノール含有エッセンシャルオイルが、ミルタシア油、アルテミシア油、シナモン油、ミリスチカ油、オチマム油、イリチウム油およびメリッサ油から選択される。他の実施形態では、前記少なくとも１種のエッセンシャルオイルが、チョウジ油（クローブ油）、ニガヨモギ油（ヨモギ油）、シナモンカシア油（Ｃ．アロマティカム油）、シナモンベルム油（真のシナモン油）、シナモンタマラ油（インディアンベイリーフ油）、ミリスチカフラナンス油（ナツメグ油）、オチマムバジル油（スイートバジル油）、メボウキ油（アフリカバジル油）、カミメボウキ油（トゥルシー油）、薫草油（ホーリーバジル油）、莽草油（シキミ油）、メリッサオフィシナリス油（レモンバーム油）、イノンド油（ディル油）、ピメンタラセモサ油、バニラ油およびセロリアック油（セロリ油）から選択される。
【００１４】
いくつかの実施形態では、前記少なくとも１種のエッセンシャルオイルが、クローブベースのエッセンシャルオイルである。
【００１５】
いくつかの実施形態によれば、組成物が、当該組成物の約１〜２０重量％、すなわち、当該組成物の１，２，３，４，５，６，７，８，９，１０，１１，１２，１３，１４，１５，１６，１７，１８，１９または２０重量％の含有量の前記少なくとも１種の臭気中和剤を含む。そのような実施形態では、臭気中和剤の含有量が、組成物の１〜１５重量％であってもよい。他の実施形態では、臭気中和剤の含有量が、組成物の５〜１５重量％であってもよい。
【００１６】
膜形成剤という用語は、処理すべき液体（例えば水）の表面上にフィルムを形成し、それにより液体とその上の気体環境との間にバリアを形成するように機能する化合物（または化合物の混合物）を包含することが意図されている。膜形成剤は、液体の表面に分子層または二分子層を形成し、それにより実質的に不透過性のバリアとして機能して、揮発性種の液相から気相への移動を防止する。
【００１７】
いくつかの実施形態では、膜形成剤はＭＬＯ（蚊の幼虫の殺虫油）である。ＭＬＯは、少なくともノニルフェノールエトキシレートＮＰ４、オレイン酸ソルビタン、シリコン油および水素化精製軽質ナフテンおよび重質パラフィンを含むことができる。
【００１８】
いくつかの実施形態によれば、組成物は、当該組成物の少なくとも１重量％、典型的には約１〜３０重量％の含有量で前記膜形成剤を含む。他の実施形態では、膜形成剤の含有量は組成物の約２〜２５重量％である。
【００１９】
いくつかの実施形態では、組成物は、少なくとも１種の粘度調整剤をさらに含むことができる。粘度調整剤は、組成物に所望の粘度を提供する。いくつかの実施形態によれば、前記少なくとも１種の粘度調整剤が、アクリレート／アクリロメチルタウレート共重合体、ヒドロキシル化アクリレート／アクリロメチルタウレート共重合体、ポリアクリレート、ポリイソブテンおよびポリソルベートから選択される。
【００２０】
そのような実施形態では、少なくとも１種の粘度調整剤がヒドロキシエチル−アクリレート／ナトリウム−アクリロイルジメチルタウレート共重合体（Ｓｅｐｉｎｏｖ−ＥＭＴ（商標））あってもよい。
【００２１】
他の実施形態では、少なくとも１種の粘度調整剤が、少なくともオクチルドデカノール、オクチルドデシルキシロシド、ＰＥＧ３０ジポリヒドロキシステアリン酸、またはそれらの任意の組み合わせ（Ｅａｓｙｎｏｖ（商標））を含み得る。
【００２２】
いくつかの実施形態によれば、組成物が、当該組成物の約０．５〜１．５重量％の含有量で少なくとも１種の粘度調整剤を含む。いくつかの他の実施形態では、粘度調整剤の含有量が、組成物の約０．５〜１重量％であってもよい。
【００２３】
いくつかの実施形態によれば、組成物は、少なくとも１種の添加剤をさらに含むことができる。
【００２４】
いくつかの実施形態では、前記少なくとも１種の添加剤が、アルキルフェノールエトキシレート、脂肪アルコール、アルコールエトキシレート、アルコールエトキシサルフェート、ポリオキシエチレングリコールアルキルエーテル、ポリオキシプロピレングリコールアルキルエーテル、グルコシドアルキルエーテル、グリセロールアルキルエステルポリオキシエチレングリコールオクチルフェノールエーテル（Ｔｒｉｔｏｎ  Ｘ−１００）、ポリオキシエチレングリコールソルビタンアルキルエステル（ポリソルベート）、ソルビタンアルキルエステル、コカミドＭＥＡ／ＤＥＡ、ポリエチレングリコールとポリプロピレングリコールのブロック共重合体（ポロキサマー）から選択される。他の実施形態によれば、添加剤は、ノニルフェノールエトキシレート（ＮＰ１０）またはＣ１４−Ｃ１８アルコールエトキシレートから選択される。いくつかの他の実施形態では、添加剤はノニルフェノールエトキシレート（ＮＰ１０）である。さらに他の実施形態では、添加剤はＣ１４−Ｃ１８アルコールエトキシレートである。
【００２５】
いくつかの実施形態では、添加剤は乳化剤である。乳化剤という用語は、液体の表面張力を低下させることができ、少なくとも１種類の液体と少なくとも１種類の他の液体との均質な混合物の形成を可能にする（すなわち、エッセンシャルオイルと水の混合物の形成を可能にする）任意の化学物質を含む表面活性化合物を指す。
【００２６】
理論に束縛されるものではないが、乳化剤分子は油（すなわちオイゲノール）の液滴の表面を被覆し、被覆された液滴間の立体障害および／または静電反発を生じ、それによって水性媒体中の液滴分散を促進する。このため、そのような乳化剤は、静電安定剤、立体安定剤および電気立体的安定剤から選択することができる。乳化剤は、通常、少なくとも１種の多量のペンダント基、静電荷または高い極性を有する表面活性物質であってもよい。
【００２７】
いくつかの実施形態では、少なくとも１種の乳化剤が、典型的には、非イオン界面活性剤であり、これは、アルキルフェノールエトキシレート、脂肪アルコール、アルコールエトキシレート、アルコールエトキシサルフェート、ポリオキシエチレングリコールアルキルエーテル、ポリオキシプロピレングリコールアルキルエーテル、グルコシドアルキルエーテル、グリセロールアルキルエステルポリオキシエチレングリコールオクチルフェノールエーテル（Ｔｒｉｔｏｎ  Ｘ−１００）、ポリオキシエチレングリコールソルビタンアルキルエステル（ポリソルベート）、ソルビタンアルキルエステル、コカミドＭＥＡ／ＤＥＡ、ポリエチレングリコールとポリプロピレングリコールのブロック共重合体（ポロキサマー）から選択することができる。
【００２８】
いくつかの実施形態において、前記少なくとも１種の添加剤が、ノニルフェノールエトキシレート（ＮＰ１０）およびＣ１４−Ｃ１８アルコールエトキシレートから選択される乳化剤である。
【００２９】
いくつかの実施形態では、組成物は液体形態である。そのような実施形態において、少なくとも１種の添加剤は、組成物の約３〜３５重量％の含有量で存在し得る乳化剤である。そのような実施形態によれば、少なくとも１種の乳化剤はノニルフェノールエトキシレート（ＮＰ１０）であり、少なくとも１種のオイゲノール含有臭気中和剤はオイゲノールである。
【００３０】
いくつかの実施形態では、乳化剤は、組成物の約３〜３０重量％、約３〜２５重量％、または約３〜２０重量％の含有量で存在する。他の実施形態では、乳化剤は、組成物の約４〜３５重量％、約５〜３５重量％、または約７〜３５重量％の含有量で存在する。
【００３１】
液体形態である場合、本考案の組成物は、水も含むことができ、当該水が、いくつかの実施形態では組成物全体の約５０〜９０重量％の含有量であり得る。他の実施形態では、液体組成物は、組成物全体の約５５〜９０重量％、約６０〜９０重量％、または約６５〜９０重量％の含有量の水を含むことができる。いくつかの他の実施形態では、液体組成物は、組成物全体の約５０〜８５重量％、約５０〜８０重量％、または約５０〜７５重量％の含有量の水を含むことができる。
【００３２】
本考案の液体組成物は、約２００〜６５００ｃｐｓ（センチポアズ）の粘度を特徴とするエマルション、液体およびペーストから選択される形態であってもよい。エマルションは、界面活性剤（例えば、乳化剤）の存在下で、エッセンシャルオイルと水の液滴またはその他の構造に自己集合する熱力学的に安定な液体系を示すことが意図される。エマルションは、マイクロエマルション、ミニエマルション、ナノエマルション、ダブルエマルション、リオトロピック液晶、またはそれらの任意の組み合わせ、または任意の他のタイプのマイクロまたはナノ構造化液体のような、当該分野で公知のものであり得る。
【００３３】
いくつかの実施形態によれば、組成物は、増粘剤をさらに含むことができ、増粘剤は、任意には、カプリル酸グリセリル、カプリン酸グリセリルおよびそれらの組み合わせから選択することができる。増粘剤は、多くの場合、所望の粘度を得るために、組成物、典型的には液体組成物に添加される。本考案の液体組成物は、噴霧またはエアロゾル化による適用のために調製することができる。
【００３４】
本考案の組成物は、実質的に固体の形態として調製することもできる。実質的に固体という用語は、全ての固体形態、すなわち固体形態のエマルション、ゲル、ワックス状固体、石鹸状固体などを包含することを意味する。いくつかの実施形態において、組成物は、ブロック、粒子、フレーク、ビーズ、ドロップ、球体または任意の他の固体形態から選択される形態とし得る。本開示において、実質的に固体という用語は、本明細書に開示される固体組成物で少なくとも部分的に被覆された担体基材、例えば、本明細書に開示される固体組成物で被覆されたプラスチックビーズまたはブロックも包含することを意味する。穿孔の少なくとも一部および/または発泡細孔内に本明細書に開示された固体組成物を担持する穿孔された基材または発泡構造体もまた、本開示の範囲内であると考えられる。
【００３５】
固体形態の場合、少なくとも１種の添加剤は、組成物の約４０〜９０重量％の含有量で存在してもよい。他の実施形態では、固体組成物は、当該組成物の約４０〜８５重量％、約４０〜８０重量％、または約４０〜７５重量％の含有量で前記少なくとも１種類の添加剤を含むことができる。いくつかの他の実施形態では、固体組成物は、当該組成物の約４５〜９０重量％、約５０〜９０重量％、または約５５〜９０重量％の含有量で前記少なくとも１種類の添加剤を含むことができる。
【００３６】
いくつかの実施形態では、少なくとも１種の添加剤は、アルキルフェノールエトキシレート、脂肪アルコール、アルコールエトキシレート、アルコールエトキシサルフェート、ポリオキシエチレングリコールアルキルエーテル、ポリオキシプロピレングリコールアルキルエーテル、グルコシドアルキルエーテル、グリセロールアルキルエステルポリオキシエチレングリコールオクチルフェノールエーテル（Ｔｒｉｔｏｎ  Ｘ−１００）、ポリオキシエチレングリコールソルビタンアルキルエステル（ポリソルベート）、ソルビタンアルキルエステル、コカミドＭＥＡ／ＤＥＡ、ポリエチレングリコールとポリプロピレングリコールのブロック共重合体（ポロキサマー）から選択される。他の実施形態において、固体組成物中の少なくとも１種の添加剤は、Ｃ１４−Ｃ１８アルコールエトキシレートである。
【００３７】
いくつかの実施形態によれば、前記少なくとも１種の添加剤は、Ｃ１４−Ｃ１８アルコールエトキシレートであり、前記少なくとも１種のオイゲノール含有臭気中和剤はオイゲノールである。
【００３８】
所望の粘度を得てその固体形態を安定化させるために、組成物は、少なくとも１種のポリリン酸化合物をさらに含むことができ、これが、いくつかの実施形態では、組成物の１〜２５％の含有量で存在し得る。他の実施形態では、少なくとも１種のポリリン酸化合物は、組成物の４〜２５％の含有量で存在し得る。いくつかの実施形態では、ポリリン酸塩化合物は、三リン酸ナトリウムであってもよい。
【００３９】
上記のように、中和効果は、比較的少量の本考案の組成物を使用することによって得ることができる。処理すべき液体中に放出される組成物の量は、組成物の動的溶解度によって決定される。
【００４０】
このため、いくつかの実施形態では、本考案の固体組成物は、処理すべき水相１０リットルあたり組成物の約０．０１〜１グラムの範囲で、処理されるべき水相における制御された動的溶解性を有する。
【００４１】
動的溶解度という用語は、移動する液相、すなわち水相に暴露されたときの組成物の溶解度に関する。このため、この用語は、所定時間（例えば数秒間）、所定量の液相、例えば、１０リットルの水が組成物上に流されたときの組成物の溶解度を意味する。
【００４２】
いくつかの実施形態では、この期間は約０．５〜５秒の範囲内である。他の実施形態では、この期間は約１〜２秒の範囲であってもよい。
【００４３】
いくつかの実施形態では、組成物の動的溶解度は、０．５〜５秒間、組成物と接触するときに処理される前記水相１０リットルあたり組成物の約０．０１〜０．５グラムの範囲である。いくつかの実施形態では、組成物の動的溶解度は、０．５〜５秒間、組成物と接触するときに処理される前記水相１０リットルあたり組成物の約０．０１〜０．１グラムの範囲である。
【００４４】
いくつかの実施形態によれば、固体形態の組成物は、１５重量％以下の水を含むことができる。いくつかの実施形態において、固体組成物は、約５〜１５重量％の水を含む。
【００４５】
本考案の組成物は、独特の臭い、独特の色などの少なくとも１つの他の特性を有する組成物を与えるための追加成分をさらに含むことができる。いくつかの実施形態では、この目的のために、組成物は、香料、着色剤、防腐剤、担体油、水溶性消毒剤およびそれらの組み合わせから選択される少なくとも１つの他の添加剤をさらに含むことができる。
【００４６】
本考案の別の態様は、水、少なくとも１種のオイゲノール含有臭気中和剤、少なくとも１種の乳化剤、少なくとも１種の膜形成剤および少なくとも１種の粘度調整剤を含む臭気中和組成物を提供する。
【００４７】
さらなる態様において、本考案は、水、少なくとも１種のオイゲノール含有臭気中和剤、少なくとも１種の乳化剤、少なくとも１種の膜形成剤および少なくとも１種の粘度調整剤を含む臭気中和組成物であって、処理すべき水相中で制御された動的溶解性を有する臭気中和組成物を提供する。
【００４８】
本考案の別の態様は、本明細書に記載の本考案の組成物をカプセル化する水溶解性シェルを含むカプセルを提供する。
【００４９】
また、本考案は、その別の態様において、水、少なくとも１種のオイゲノール含有臭気中和剤、少なくとも１種の乳化剤、少なくとも１種の膜形成剤および少なくとも１種の粘度調整剤を含む組成物の製造方法であって、
（ａ）少なくとも１種の臭気中和剤、少なくとも１種の膜形成剤および少なくとも１種の粘度調整剤を第１の混合速度で混合して、混合物を得るステップと、
（ｂ）少なくとも１種の乳化剤および水を第２の速度で混合して溶液を得るステップと、
（ｃ）均質化を可能にする混合条件下で、前記溶液を前記混合物に添加して本考案の組成物を得るステップとを備える方法も提供する。
【００５０】
いくつかの実施形態によれば、前記混合条件は、約１，０００〜５，０００ｒｐｍ（回転／分）の混合速度である。
【００５１】
他の実施形態によれば、前記第１の混合速度は約５，０００〜１５，０００ｒｐｍである。
【００５２】
さらなる実施形態によれば、前記第２の混合速度は約５〜２５ｒｐｍである。
【００５３】
混合は、これらに限定される訳ではないが、空気混合パドル、電気混合パドル、ホモジナイザ、遊星ミキサ、シグマ−ブレードミキサ、回転ドラムなど、当業者に知られている任意のタイプの適切な装置によって行うことができる。
【００５４】
別の態様では、本考案は、水、少なくとも１種のオイゲノール含有臭気中和剤、少なくとも１種の膜形成剤および任意の少なくとも１種の溶媒を含む臭気中和液組成物を提供する。
【００５５】
いくつかの実施形態において、液体形態のオイゲノール含有臭気中和剤は、純粋な形態のオイゲノール、少なくとも１種のエッセンシャルオイルおよびそれらの組み合わせから選択される。液体組成物に使用されるエッセンシャルオイルは、上述した油のいずれか１つとすることができる。
【００５６】
いくつかの実施形態では、臭気中和液組成物が、当該組成物の約１〜２０重量％の含有量の臭気中和剤を含む。
【００５７】
本考案の液体臭気中和組成物中に存在する場合、少なくとも１種の溶媒は、いくつかの実施形態では、Ｃ３−８アルコールであってもよい。
【００５８】
いくつかの実施形態では、臭気中和液体組成物は、当該組成物の約１〜２５重量％の含有量の溶媒を含む。
【００５９】
いくつかの他の実施形態では、臭気中和液組成物は、当該組成物の約５０〜９０重量％の含有量の水を含む。
【００６０】
いくつかの実施形態によれば、臭気中和液組成物は、約１〜３０重量％の膜形成剤を含み、これは、いくつかの実施形態では、ＭＬＯであってもよい。
【００６１】
いくつかの実施形態では、臭気中和液体組成物が少なくとも１種の添加剤をさらに含むことができ、それが乳化剤であってもよい。乳化剤は、組成物の約３〜３５重量％の含有量で液体組成物中に存在し得る。
【００６２】
いくつかの実施形態によれば、本考案の臭気中和液体組成物は、噴霧またはエアロゾル化によって適用するように調製される。このような調製は、標準的な貯水池、プール、池、沼、下水タンク、下水処理施設などの中程度から大規模な水域の処理に利用することができる。本考案の液体組成物の噴霧またはエアロゾル化は、自動化された、半自動化されたまたは手動の当分野で公知の任意の従来型手段で実施することができる。
【００６３】
本考案の組成物は、空調システムまたは換気システムに使用して、それらを通過する空気から悪臭を除去するためにさらに調製されるものであってもよい。非限定的な例では、処理すべき空気を、本考案の組成物を含むろ材に通すことにより、そこから悪臭を除去することができる。
【００６４】
本考案の別の態様によれば、少なくとも１種のオイゲノール含有臭気中和剤、少なくとも１種の膜形成剤および少なくとも１種の添加剤を含む実質的に固体の臭気中和組成物が提供される。
【００６５】
いくつかの実施形態において、オイゲノール含有臭気中和剤は、オイゲノール、少なくとも１種のエッセンシャルオイルおよびそれらの組み合わせから選択され、組成物の約１〜２０重量％の含有量で存在し得る。他の態様においては、前記少なくとも１種の添加剤が、アルキルフェノールエトキシレート、脂肪アルコール、アルコールエトキシレート、アルコールエトキシサルフェート、ポリオキシエチレングリコールアルキルエーテル、ポリオキシプロピレングリコールアルキルエーテル、グルコシドアルキルエーテル、グリセロールアルキルエステルポリオキシエチレングリコールオクチルフェノールエーテル（Ｔｒｉｔｏｎ  Ｘ−１００）、ポリオキシエチレングリコールソルビタンアルキルエステル（ポリソルベート）、ソルビタンアルキルエステル、コカミドＭＥＡ／ＤＥＡ、ポリエチレングリコールとポリプロピレングリコールのブロック共重合体（ポロキサマー）から選択される。他の実施形態では、少なくとも１種の添加剤が、Ｃ１４−Ｃ１８アルコールエトキシレートであり、任意には、組成物の約４０〜９０重量％の含有量であってもよい。
【００６６】
固体臭気中和組成物は、少なくとも１種のポリリン酸化合物をさらに含むことができ、これは、いくつかの実施形態では、三リン酸ナトリウムであってもよい。いくつかの実施形態によれば、ポリリン酸化合物は、組成物の約１〜２５重量％の含有量で存在することができる。
【００６７】
固体臭気中和組成物において、前記少なくとも１種の膜形成剤の含有量は、約１〜２０重量％である。膜形成剤は、いくつかの実施形態では、ＭＬＯであってもよい。
【００６８】
いくつかの実施形態によれば、臭気中和固体組成物は、処理すべき水相１０リットル当たり組成物の約０．０１〜１グラムの範囲で、処理される水相における制御された動的溶解度によって特徴付けられる。
【００６９】
本考案の別の態様によれば、気相中の揮発性化合物の濃度を低下させるのに使用するための本明細書に記載の組成物が提供される。
【００７０】
いくつかの実施形態では、前記揮発性化合物は、硫黄系揮発性化合物、窒素系揮発性化合物およびそれらの混合物から選択される。そのような揮発性化合物は、いくつかの実施形態によれば、チオール、メルカプタン、Ｈ２Ｓ、インドール（２，３−ベンゾピロール）、スカトール（４−メチル−２，３−ベンゾピロール）、ピリジン、ピロールおよびアンモニアから選択される。本明細書で既に言及したように、本考案の組成物は、揮発性化合物を物理的に封入し、それによって気相におけるそれらの揮発性を減少させる。組成物中の活性成分、すなわちエッセンシャルオイルも、これらの化合物と化学的に反応して、それらの揮散をさらに低下させることができる。
【００７１】
別の態様では、本考案は、臭気を中和するための装置を提供し、当該装置が、内部空間を規定するハウジングであって、少なくとも１つの穿孔を有するハウジングと、適用可能な表面に取り付けるための手段とを備え、前記ハウジングが内部空間を規定し、前記内部空間が、本明細書に記載の組成物を含む。
【００７２】
いくつかの実施形態では、前記取り付けるための手段は、接着剤、耳吊りなどから選択される。このような取り付け手段により、ユーザは、便器の内部表面など、処理すべき水容器の内部表面に装置を取り付けることができる。
【００７３】
本考案のさらなる態様では、水相より上の気相中の揮発性化合物の濃度を低下させる方法が提供され、この方法は、本考案に係る組成物を提供するステップと、処理すべき水相に組成物を接触させるステップとを備える。
【００７４】
いくつかの実施形態では、水相１０リットルあたり組成物の約０．０１〜１グラムの溶解を可能にする期間、接触が行われる。他の実施形態では、水相１０リットルあたり組成物の約０．０１〜０．５グラムの溶解を可能にする期間、接触が行われる。いくつかの他の実施形態では、水相１０リットルあたり組成物の約０．０１〜０．１グラムの溶解を可能にする期間、接触が行われる。
【００７５】
いくつかの実施形態によれば、前記期間は約０．５〜５秒の範囲である。そのような実施形態では、前記期間は、約１〜２秒の範囲であってもよい。
【００７６】
別の態様において、本考案は、水相より上の気相中の硫黄系揮発性化合物の濃度を低下させる方法を提供し、この方法は、本考案の組成物を、処理すべき水相の上に、または処理すべき環境中に噴霧するステップを含む。
【図面の簡単な説明】
【００７７】
【図１】図１は、エッセンシャルオイル乳化組成物についての臭気除去結果を示す図表である。
【図２】図２は、オイゲノール乳化組成物の粘度を示す図表である。
【図３】図３は、オイゲノール液体組成物の臭気除去結果を示す図表である。
【図４】図４は、エアロゾル化組成物の成分を示す図表である。
【図５】図５は、固体組成物の成分を示す図表である。
【考案を実施するための形態】
【００７８】
本明細書に開示される主題をよりよく理解し、それが実際にどのように実施されるのかを例示するために、単なる非限定的な例として、実施形態を説明することとする。
【００７９】
実施例１−エッセンシャルオイル乳化組成物
組成物の調製：
本考案の例示的な組成物の１００ｇのバッチを、以下の調製方法を適用することによって調製した：
クローブベースのエッセンシャルオイルに、０．５〜５ｇの粘度調整剤Ｓｅｐｉｎｏｖ  ＥＭＴ−１０（ヒドロキシエチルアクリレート／ナトリウム−アクリロイルジメチルタウレート共重合体）および〜１０ｇのＭＬＯ（蚊の幼虫の殺虫油）を加えて、Ｓｉｌｖｅｒｓｏｎホモジナイザにより１分間、１０，０００ｒｐｍで混合し、粘性のある油状混合物を得た。別の容器中で、透明溶液が得られるまで、ノニルフェノールエトキシレート（ＮＰ１０）乳化剤を１５ｒｐｍで約２分間、水中に機械的に混合した。
【００８０】
その後、３，０００ｒｐｍで均質化しながら溶液をゆっくりと油状混合物に加え、均質な組成物を得た。
【００８１】
動的溶解度測定
孔の空いた容器に組成物を充填し、便器に取り付けた。組成物を数回の便器洗い流しサイクルに曝し、それぞれ約１０リットルの水量を放出させた。示差重量測定法は、組成物の平均動的溶解度が約０．３ｇ／水１０リットルであることを示した。
【００８２】
臭気除去
（０．３ｇ／１０リットルの濃度を擬製するために）０．０３ｇの組成物を１リットルの水に溶解した。この溶液４００ｍｌをガラス容器に入れ、その中に３２ｇのヒト固形便を加え、その容器を密封した。対照実験は、３２ｇのヒト固形便を清浄な水に入れたものであった。両方の容器を１５分間密封した後、水上の気相を採取してガスクロマトグラフィで分析した。その結果を表１に示す。
【００８３】
【表１】
0003214778.tif 000003
【００８４】
実施例２−オイゲノール乳化組成物
組成物の調製：
本考案の例示的な組成物のバッチを、実施例１に記載の方法に従って調製した。その組成物を表２に詳述する。
【００８５】
ブルックフィールドＲＶＤＶ−Ｉ＋粘度計、スピンドル９１を使用して、２０ＲＰＭの回転速度で粘度を測定した。
【００８６】
【表２】
0003214778.tif 000004
【００８７】
実施例３−液体組成物
組成物の調製：
１〜３重量％のオイゲノールを９７〜９９重量％のＭＬＯ油と混合することによって、本考案の例示的な液体組成物のバッチを調製した。
【００８８】
臭気除去
２重量％のオイゲノール濃度を有する液体組成物を、ガラス容器に入れた１２０ｍｌの汚水サンプル上に噴霧した。対照実験は、１２０ｍｌの未処理の汚水からなるものであった。両方の容器を１５分間密封した後、水上の気相を採取してガスクロマトグラフィで分析した。その後、容器を再び密封して３日間室温で放置し、その後、水の上の気相を取り出して分析した。その結果を表３に示す。
【００８９】
【表３】
0003214778.tif 000005
【００９０】
実施例４−エアロゾル組成物
組成物の調製：
本考案の例示的な組成物のバッチを、実施例１に記載の方法に従って調製した。その組成物を表４に詳述する。
【００９１】
【表４】
0003214778.tif 000006
【００９２】
臭気除去
表４に従う液体組成物を、ガラス容器に入れた汚水のサンプルに噴霧した。液相上のＨ２Ｓの存在を、Ｈ２Ｓ感受性チューブを備えたＫｉｔａｇａｗａ  ＡＰ−２０ガスサンプラにより測定した。ここで、Ｈ２Ｓは酢酸鉛と反応して、硫酸鉛を形成することにより、チューブの色の目に見える変化を引き起こす。テストチューブは、５〜４００ｍｌの気相のサンプル中の１ｐｐｍ〜３００ｐｐｍのＨ２Ｓの検出に適している。液体組成物を適用する前の汚水サンプル上の気相の測定は、チューブの色によって明らかなように、１ｐｐｍを超えるＨ２Ｓの存在を示していた。その後、表４に従う液体組成物を噴霧によってサンプルの表面に適用し、数分後に、新たな同一のテストチューブを用いて気相を再度試験した。テストチューブの着色は見られず、チューブの閾値検出レベル未満の気相中のＨ２Ｓの減少が証明された。
【００９３】
実施例５−固体組成物
組成物の調製：
本考案の例示的な組成物の１００ｇバッチを、以下の調製方法を適用することによって調製した：
ＭＬＯ（蚊の幼虫の殺虫油）をオイゲノールに添加して、均質化するように混合した。Ｃ１６−Ｃ１８アルコールエトキシレートと水との混合物を同時に調製した。その後、２つの混合物を完全に混合した。次いで、香料および着色剤を添加し、続いて三リン酸ナトリウムを添加した。その後、組成物を混合して、凝固させた。組成物を表５に詳述する。
【００９４】
クローブベースのエッセンシャルオイルに、０．５〜５ｇの粘度調整剤Ｓｅｐｉｎｏｖ  ＥＭＴ−１０（ヒドロキシエチルアクリレート／ナトリウム−アクリロイルジメチルタウレート共重合体）および〜１０ｇのＭＬＯ（蚊の幼虫の殺虫油）を加えて、Ｓｉｌｖｅｒｓｏｎホモジナイザにより１分間、１０，０００ｒｐｍで混合し、粘性のある油状混合物を得た。別の容器中で、透明溶液が得られるまで、ノニルフェノールエトキシレート（ＮＰ１０）乳化剤を１５ｒｐｍで約２分間、水中に機械的に混合した。
【００９５】
その後、３，０００ｒｐｍで均質化しながら溶液をゆっくりと油状混合物に加え、均質な組成物を得た。
【００９６】
【表５】
0003214778.tif 000007
【００９７】
動的溶解度測定
孔の空いた容器に組成物を充填し、便器に取り付けた。組成物を数回の便器洗い流しサイクルに曝し、それぞれ約１０リットルの水量を放出させた。示差重量測定法は、組成物の平均動的溶解度が約０．０３〜０．０５ｇ／水１０リットルであることを示した。
【００９８】
臭気除去
水とヒトの固形便を含む便器上のＨ２Ｓの存在を、Ｈ２Ｓ感受性チューブを備えたＫｉｔａｇａｗａ  ＡＰ−２０ガスサンプラにより測定した。ここで、Ｈ２Ｓは酢酸鉛と反応して、硫酸鉛を形成することにより、チューブの色の目に見える変化を引き起こす。テストチューブは、５〜４００ｍｌの気相のサンプル中の１ｐｐｍ〜３００ｐｐｍのＨ２Ｓの検出に適している。組成物を適用する前のサンプル上の気相の測定は、チューブの色によって明らかなように、１ｐｐｍを超えるＨ２Ｓの存在を示していた。
【００９９】
その後、表５に従う固体組成物を便器の内側面に取り付け、便器を清浄な水で洗い流して、０．０３〜０．０５ｇの固体組成物を溶解させて、便器内の水と接触させた。新たな同一のテストチューブを用いて気相を再度試験した。テストチューブの着色は見られず、チューブの閾値検出レベル未満の気相中のＨ２Ｓの減少が証明された。
【図１】
0003214778.tif 000008
【図２】
0003214778.tif 000009
【図３】
0003214778.tif 000010
【図４】
0003214778.tif 000011
【図５】
0003214778.tif 000012
【手続補正書】
【提出日】平成29年7月6日(2017.7.6)
【手続補正２】
【補正対象書類名】実用新案登録請求の範囲
【補正対象項目名】全文
【補正方法】変更
【補正の内容】
【実用新案登録請求の範囲】
【請求項１】
水相中の臭気を中和する装置において、
内部空間を規定するハウジングであって、少なくとも１つの穿孔を有するハウジングと、
適用可能な表面に取り付けるための手段とを備え、
前記ハウジングが内部空間を規定し、前記内部空間が臭気中和組成物を含み、前記臭気中和組成物が、少なくとも１種のオイゲノール含有臭気中和剤と、少なくとも１種の膜形成剤とを含むことを特徴とする装置。
【請求項２】
請求項１に記載の装置において、
前記組成物中の少なくとも１種のオイゲノール含有臭気中和剤が、オイゲノール、少なくとも１種のオイゲノール含有エッセンシャルオイルおよびその組合せの中から選択され、
前記少なくとも１種のオイゲノール含有エッセンシャルオイルが、ミルタシア油、アルテミシア油、シナモン油、ミリスチカ油、オチマム油、イリチア油、メリッサ油、ピメンタ油、アピウム油、バニラ油、チョウジ油（クローブ油）、ニガヨモギ油（ヨモギ油）、シナモンカシア油（Ｃ．アロマティカム油）、シナモンベラム油（真のシナモン油）、シナモンタマラ油（インディアンベイリーフ油）、ラウロスノビリス油（ベイローレル油）、ミリスチカフラナンス油（ナツメグ油）、オチマムバジル油（スイートバジル油）、メボウキ油（アフリカバジル油）、カミメボウキ油（トゥルシー油）、薫草油（ホーリーバジル油）、莽草油（シキミ油）、メリッサオフィシナリス油（レモンバーム油）、イノンド油（ディル油）、ピメンタラセモサ油、バニラ油およびセロリアック油（セロリ油）から選択されることを特徴とする装置。
【請求項３】
請求項１に記載の装置において、
前記組成物中の少なくとも１種の臭気中和剤の含有量が、前記組成物の約１〜２０重量％であることを特徴とする装置。
【請求項４】
請求項１に記載の装置において、
前記組成物中の膜形成剤がＭＬＯであることを特徴とする装置。
【請求項５】
請求項１に記載の装置において、
前記組成物中の膜形成剤の含有量が、前記組成物の少なくとも１重量％であることを特徴とする装置。